(57)【特許請求の範囲】
【請求項１】
管理者の予定表を参照し、予定表において管理者の不在期間が予定されている場合、画像形成装置に備えられた消耗部材の残量を確認する手順（ａ）と、
前記手順（ａ）で確認された消耗部材の残量が、管理者の不在期間の長さに対応する減少量に対して十分かどうか判断する手順（ｂ）と、
前記手順（ｂ）において、消耗部材の残量が管理者の不在期間の長さに対応する減少量に対して十分でないと判断された場合に、消耗部材の交換を管理者に促す手順（ｃ）と、
各消耗部材の在庫および残量を管理する手順（ｄ）と、を有し、
前記手順（ｂ）は、管理者に消耗部材の交換を促してから管理者の不在期間が終了するまでを前記不在期間の長さとして、消耗部材の残量が、少なくとも前記不在期間の長さに対応する減少量に対して十分かどうか判断し、
前記手順（ｃ）は、前記手順（ｄ）において管理されている各消耗部材の在庫および残量に基づいて、前記不在期間の長さに対応する消耗部材の減少量を少なくとも残量として有する消耗部材のうちいずれかへの消耗部材の交換を管理者に促す、手順をコンピュータに実行させる、画像形成装置の管理プログラム。
【請求項２】
管理者の予定表を参照し、予定表において管理者の不在期間が予定されている場合、画像形成装置に備えられた消耗部材の残量を確認する手順（ａ）と、
前記手順（ａ）で確認された消耗部材の残量が、管理者の不在期間の長さに対応する減少量に対して十分かどうか判断する手順（ｂ）と、
前記手順（ｂ）において、消耗部材の残量が管理者の不在期間の長さに対応する減少量に対して十分でないと判断された場合に、消耗部材の交換を管理者に促す手順（ｃ）と、を有し、
管理者に複数の不在期間が予定されており、先の不在期間の終了から次の不在期間の開始までの間隔が所定時間より短い場合は、前記先の不在期間の開始から前記次の不在期間の終了までの長さを前記不在期間の長さとする、手順をコンピュータに実行させる、画像形成装置の管理プログラム。
【請求項３】
前記管理者の不在期間は、複数の管理者のすべてが不在となる期間である、請求項１に記載のプログラム。
【請求項４】
前記管理者の不在期間は、複数の管理者のすべてが不在となる期間である、請求項２に記載のプログラム。
【請求項５】
前記手順（ｃ）は、前記不在期間の長さに対応する消耗部材の減少量を少なくとも残量として有する消耗部材のうち残量が最も少ないものへの消耗部材の交換を管理者に促す、請求項１〜４のいずれか一項に記載のプログラム。
【請求項６】
前記手順は、
管理者の不在期間の終了後、画像形成装置に備えられた消耗部材の残量と、前記手順（ｄ）において在庫および残量が管理されている各消耗部材の残量とを比較し、前記手順（ｄ）において在庫として管理されている消耗部材のうち、前記画像形成装置に備えられた消耗部材の残量より残量の多い消耗部材の数が所定数より少ない場合は、前記手順（ｄ）において管理されている在庫の消耗部材のうち残量が最も少ないものへの消耗部材の交換を管理者に促す手順（ｅ）をさらに有する、請求項１または３に記載のプログラム。
【請求項７】
前記手順は、
前記手順（ｄ）において管理されている在庫の消耗部材のうち、残量が所定の閾値以上であるものが所定数未満である場合は、消耗品の発注を管理者に促す手順（ｆ）をさらに有する、請求項１、３、または６に記載のプログラム。
【請求項８】
前記請求項１〜７のいずれか一項に記載のプログラムを記録したコンピュータ読取可能な記録媒体。
【請求項９】
管理者の予定表を参照し、予定表において管理者の不在期間が予定されている場合、画像形成装置に備えられた消耗部材の残量を確認する段階（ａ）と、
前記段階（ａ）で確認された消耗部材の残量が、管理者の不在期間の長さに対応する減少量に対して十分かどうか判断する段階（ｂ）と、
前記段階（ｂ）において、消耗部材の残量が管理者の不在期間の長さに対応する減少量に対して十分でないと判断された場合に、消耗部材の交換を管理者に促す段階（ｃ）と、
各消耗部材の在庫および残量を管理する段階（ｄ）と、を有し、
前記段階（ｂ）は、管理者に消耗部材の交換を促してから管理者の不在期間が終了するまでを前記不在期間の長さとして、消耗部材の残量が、少なくとも前記不在期間の長さに対応する減少量に対して十分かどうか判断し、
前記段階（ｃ）は、前記段階（ｄ）において管理されている各消耗部材の在庫および残量に基づいて、前記不在期間の長さに対応する消耗部材の減少量を少なくとも残量として有する消耗部材のうちいずれかへの消耗部材の交換を管理者に促す、画像形成装置の管理方法。
【発明の詳細な説明】
【技術分野】
【０００１】
本発明は、画像形成装置の管理プログラム、画像形成装置の管理プログラムを記録した記録媒体、および画像形成装置の管理方法に関し、特に、画像形成装置に備えられる消耗部材を管理するための、画像形成装置の管理プログラム、画像形成装置の管理プログラムを記録した記録媒体、および画像形成装置の管理方法に関する。
【背景技術】
【０００２】
従来、画像形成装置に備えられた消耗部材の管理のために、消耗部材の残量が一定の基準を下回ったときに消耗部材の準備を指示する事前警告を発し、消耗部材の残量が無くなった状態になったときに交換を促す通知を送信することが行われている。
【０００３】
しかし、消耗部材の交換を促す通知は、画像形成装置内の消耗部材の残量のみを基準としているため、夜間の無人運転や長時間の会議等で管理者が不在となるときに消耗部材の残量が無くなり、画像形成装置が動作停止に陥る可能性がある。また、消耗部材の準備を指示する事前警告は消耗部材の発注を促す目的があり、事前警告がなされた時点で消耗部材を交換すると、消耗部材の残量が無くなるまで余裕がある消耗部材が交換されることになるため、消耗部材の交換頻度が増大し、効率的な消耗部材の管理を困難にする。
【０００４】
画像形成装置に備えられた消耗部材を効率的に管理することを可能にする従来技術としては下記特許文献１に記載されたものがある。すなわち、複数の画像形成装置に備えられた消耗品の状態を、ネットワークを通じてメンテナンス管理装置が取得し、各画像形成装置に備えられた消耗品のメンテナンス時期を消耗品の状態に応じて決定する。そして、メンテナンス時期が重複する場合は、当該メンテナンス時期に在席予定の担当者にメンテナンスの内容および時期を通知することで、一度に複数の画像形成装置のメンテナンスを行うことを可能とする。
【先行技術文献】
【特許文献】
【０００５】
【特許文献１】特開２０１２−２２６５５５号公報
【発明の概要】
【発明が解決しようとする課題】
【０００６】
しかし、上記従来技術は、メンテナンス時期に在席予定の担当者が存在しない場合、画像形成装置の消耗部材の残量が無くなることで画像形成装置が動作停止に陥る可能性がある。
【０００７】
本発明は、このような問題を解決するためになされたものである。すなわち、予定されている管理者の不在期間の長さに対し画像形成装置に備えられた消耗部材の残量が十分でないと判断した場合に消耗部材の交換を管理者に促す。これにより、管理者不在時に消耗部材の残量が無くなることで画像形成装置が停止する事態を防止することが可能な画像形成装置の管理プログラム、および画像形成装置の管理方法を提供する。
【課題を解決するための手段】
【０００８】
本発明の上記課題は、以下の手段によって解決される。
【０００９】
（１）管理者の予定表を参照し、予定表において管理者の不在期間が予定されている場合、画像形成装置に備えられた消耗部材の残量を確認する手順（ａ）と、前記手順（ａ）で確認された消耗部材の残量が、管理者の不在期間の長さに対応する減少量に対して十分かどうか判断する手順（ｂ）と、前記手順（ｂ）において、消耗部材の残量が管理者の不在期間の長さに対応する減少量に対して十分でないと判断された場合に、消耗部材の交換を管理者に促す手順（ｃ）と、各消耗部材の在庫および残量を管理する手順（ｄ）と、を有し、前記手順（ｂ）は、管理者に消耗部材の交換を促してから管理者の不在期間が終了するまでを前記不在期間の長さとして、消耗部材の残量が、少なくとも前記不在期間の長さに対応する減少量に対して十分かどうか判断し、前記手順（ｃ）は、前記手順（ｄ）において管理されている各消耗部材の在庫および残量に基づいて、前記不在期間の長さに対応する消耗部材の減少量を少なくとも残量として有する消耗部材のうちいずれかへの消耗部材の交換を管理者に促す、を有する手順をコンピュータに実行させる、画像形成装置の管理プログラム。
（２）管理者の予定表を参照し、予定表において管理者の不在期間が予定されている場合、画像形成装置に備えられた消耗部材の残量を確認する手順（ａ）と、前記手順（ａ）で確認された消耗部材の残量が、管理者の不在期間の長さに対応する減少量に対して十分かどうか判断する手順（ｂ）と、前記手順（ｂ）において、消耗部材の残量が管理者の不在期間の長さに対応する減少量に対して十分でないと判断された場合に、消耗部材の交換を管理者に促す手順（ｃ）と、を有し、管理者に複数の不在期間が予定されており、先の不在期間の終了から次の不在期間の開始までの間隔が所定時間より短い場合は、前記先の不在期間の開始から前記次の不在期間の終了までの長さを前記不在期間の長さとする、手順をコンピュータに実行させる、画像形成装置の管理プログラム。
【００１０】
（３）前記管理者の不在期間は、複数の管理者のすべてが不在となる期間である、上記（１）に記載のプログラム。
（４）前記管理者の不在期間は、複数の管理者のすべてが不在となる期間である、上記（２）に記載のプログラム。
【００１２】
（５）前記手順（ｃ）は、前記不在期間の長さに対応する消耗部材の減少量を少なくとも残量として有する消耗部材のうち残量が最も少ないものへの消耗部材の交換を管理者に促す、上記（１）〜（４）のいずれかに記載のプログラム。
【００１４】
（６）前記手順は、管理者の不在期間の終了後、画像形成装置に備えられた消耗部材の残量と、前記手順（ｄ）において在庫および残量が管理されている各消耗部材の残量とを比較し、前記手順（ｄ）において在庫として管理されている消耗部材のうち、前記画像形成装置に備えられた消耗部材の残量より残量の多い消耗部材の数が所定数より少ない場合は、前記手順（ｄ）において管理されている在庫の消耗部材のうち残量が最も少ないものへの消耗部材の交換を管理者に促す手順（ｅ）をさらに有する、上記（１）または（３）に記載のプログラム。
【００１５】
（７）前記手順は、前記手順（ｄ）において管理されている在庫の消耗部材のうち、残量が所定の閾値以上であるものが所定数未満である場合は、消耗品の発注を管理者に促す手順（ｆ）をさらに有する、上記（１）、（３）、または（６）に記載のプログラム。
【００１６】
（８）上記（１）〜（７）のいずれかに記載のプログラムを記録したコンピュータ読取可能な記録媒体。
【００１７】
（９）管理者の予定表を参照し、予定表において管理者の不在期間が予定されている場合、画像形成装置に備えられた消耗部材の残量を確認する段階（ａ）と、前記段階（ａ）で確認された消耗部材の残量が、管理者の不在期間の長さに対応する減少量に対して十分かどうか判断する段階（ｂ）と、前記段階（ｂ）において、消耗部材の残量が管理者の不在期間の長さに対応する減少量に対して十分でないと判断された場合に、消耗部材の交換を管理者に促す段階（ｃ）と、各消耗部材の在庫および残量を管理する段階（ｄ）と、を有し、前記段階（ｂ）は、管理者に消耗部材の交換を促してから管理者の不在期間が終了するまでを前記不在期間の長さとして、消耗部材の残量が、少なくとも前記不在期間の長さに対応する減少量に対して十分かどうか判断し、前記段階（ｃ）は、前記段階（ｄ）において管理されている各消耗部材の在庫および残量に基づいて、前記不在期間の長さに対応する消耗部材の減少量を少なくとも残量として有する消耗部材のうちいずれかへの消耗部材の交換を管理者に促す、画像形成装置の管理方法。
【発明の効果】
【００１８】
予定されている管理者の不在期間の長さに対し画像形成装置に備えられた消耗部材の残量が十分でないと判断した場合に消耗部材の交換を管理者に促す。これにより、管理者不在時に消耗部材の残量が無くなることで画像形成装置が停止する事態を防止することができる。
【図面の簡単な説明】
【００１９】
【図１】本発明の実施形態に係る画像形成装置の管理プログラムが動作される画像形成装置を含む画像形成システムのブロック図である。
【図２】画像形成装置のブロック図である。
【図３】消耗部材管理データベースを示す図である。
【図４】画像形成装置の例としてのタンデム型カラー画像形成装置の構成図である。
【図５】スケジュールサーバーの構成を示すブロック図である。
【図６】ＰＣの構成を示す図である。
【図７】本実施形態に係る画像形成装置の管理方法のフローチャートであって、管理者の不在の際に事前に画像形成装置に備えられた消耗部材の交換を促すための各段階を示す図である。
【図８】図７のフローチャートのステップＳ１０１のサブルーチンフローチャートである。
【図９】管理者の予定表を示す図である。
【図１０】交換判断基準について説明するための図である。
【図１１】本実施形態に係る画像形成装置の管理方法のフローチャートであって、不在期間終了後に管理者に画像形成装置に備えられた消耗部材の交換を促すための各段階を示す図である。
【図１２】本実施形態に係る画像形成装置の管理方法のフローチャートであって、消耗部材の在庫の発注を促すための各段階を示す図である。
【発明を実施するための形態】
【００２０】
以下、図面を参照して、画像形成装置の管理プログラム、画像形成装置の管理プログラムを記録した記録媒体、および画像形成装置の管理方法について詳細に説明する。
【００２１】
図１は、本発明の実施形態に係る画像形成装置の管理プログラムが動作される画像形成装置を含む画像形成システムのブロック図である。
【００２２】
画像形成システム１００は、スケジュールサーバー１１０、画像形成装置１２０、およびＰＣ（Ｐｅｒｓｏｎａｌ  Ｃｏｍｐｕｔｅｒ）１３０を有する。
【００２３】
スケジュールサーバー１１０、画像形成装置１２０、およびＰＣ１３０は、ネットワーク１４０を介して相互に通信可能に接続される。ネットワーク１４０は、イーサネット（登録商標）等の規格によりコンピュータやネットワーク機器同士を接続したＬＡＮ（Ｌｏｃａｌ  Ａｒｅａ  Ｎｅｔｗｏｒｋ）、あるいは、ＬＡＮ同士を専用線で接続したＷＡＮ（Ｗｉｄｅ  Ａｒｅａ  Ｎｅｔｗｏｒｋ）により構成することができる。
【００２４】
図２は画像形成装置のブロック図である。
【００２５】
画像形成装置１２０は、ＣＰＵ（Ｃｅｎｔｒａｌ  Ｐｒｏｃｅｓｓｉｎｇ  Ｕｎｉｔ）１２１、ＲＡＭ（Ｒａｎｄｏｍ  Ａｃｃｅｓｓ  Ｍｅｍｏｒｙ）１２２、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）１２４、通信部１２５、操作部１２６、表示部１２７、画像制御部１２８、読取部１２９、および印刷ユニット１２１０を有する。これらの構成要素は信号をやり取りするためのバス１２１１を介して相互に接続されている。
【００２６】
ＲＡＭ１２２は、ＣＰＵ１２１により実行されるプログラムおよび各種データを一時的に記憶する。ＲＡＭ１２２に記憶された各種データはＣＰＵ１２１によって処理され、必要に応じてＨＤＤ１２４や画像制御部１２８に送信される。
【００２７】
ＲＯＭ１２３には、各種プログラムや各種データが保存される。
【００２８】
ＨＤＤ１２４には、ＣＰＵ１２１が画像形成装置１２０の各構成要素を制御するためのプログラムおよび本実施形態に係る画像形成装置の管理プログラムを含む各種プログラム、画像データおよびその他の各種データが保存される。ＨＤＤ１２４に格納されたプログラムおよびデータは、ＣＰＵ１２１により必要に応じて読み出され、ＲＡＭ１２２上で実行または処理される。
【００２９】
ＨＤＤ１２４には、消耗部材管理データベースが保存されている。消耗部材管理データベースとは、印刷ユニット１２１０に備えられた消耗部材と、印刷ユニット１２１０に備えられていない在庫としての消耗部材とを、それらの残量とともに記録されるデータベースである。
【００３０】
図３は、消耗部材管理データベースを示す図である。
【００３１】
消耗部材管理データベースには、画像形成装置１２０の消耗部材の種類、管理番号、残量、および状態が記録される。消耗部材には、トナーボトルのようにトナーの消費により内容物が減少することで消耗するものの他、ローラーやベルトのように摩耗や劣化により性能が低下することで消耗するものも含む。後者の場合、例えば、ローラーやベルトの稼働寿命の残りを残量として消耗部材管理データベースに記録されることができる。管理番号は、管理者が消耗部材を特定するために各消耗部材に付与される番号であり、ラベル等により各消耗部材に付されることができる。消耗部材の状態は、消耗部材が、画像形成装置１２０に備えられた使用中の消耗部材か、画像形成装置１２０に備えられていない在庫の消耗部材かを示している。
【００３２】
消耗部材には、トナーボトル、現像剤ユニット、感光体、ベルト、ブラシ、クリーナー、ローラー、およびモーター等が含まれる。
【００３３】
消耗部材の残量は、未使用品の残量を１００％としたときの内容物等の残りの割合で示されている。消耗部材の残量は、センサーにより検出されてもよく、使用時間と残量との関係をあらかじめ取得し、当該関係に計測した使用時間を対応させることで検出されてもよい。
【００３４】
在庫の消耗部材には、残量が１００％の未使品の他、残量が１００％未満の非未使用品も含まれる。すなわち、消耗部材管理データベースにおいては、非未使用品の消耗部材についても残量とともに管理される。
【００３５】
消耗部材管理データベースは、定期的に消耗部材の残量が検知される際に更新される。
【００３６】
通信部１２５は、画像形成装置１２０と外部機器との間で通信を行うためのインターフェースであり、イーサネット（登録商標）、ＳＡＴＡ、ＰＣＩ  Ｅｘｐｒｅｓｓ、ＵＳＢ、ＩＥＥＥ１３９４等の規格によるネットワークインターフェースや、Ｂｌｕｅｔｏｏｔｈ（登録商標）、ＩＥＥＥ８０２．１１等の無線通信インターフェース等の各種ローカル接続インターフェース等が用いられる。
【００３７】
操作部１２６は、各種設定を行うタッチパネル、コピー枚数等を設定するテンキー、動作の開始を指示するスタートキー、動作の停止を指示するストップキー、各種設定条件を初期化するリセットキー等の各種固定キー等からなる。
【００３８】
表示部１２７は、各種情報を表示するディスプレイ、各種設定入力を行うタッチパネルおよび表示ランプ等からなる。表示部１２７と操作部１２６とで重複する機能は、いずれか一方が兼ねることができる。
【００３９】
画像制御部１２８は、通信部１２５により受信された印刷ジョブに含まれる印刷データのレイアウト処理およびラスタライズ処理を行い、画像データを生成する。印刷ジョブとは、画像形成装置１２０に対する印刷命令の総称であり、印刷データおよび印刷設定が含まれる。印刷データとは、印刷の対象である文書のデータであり、印刷データには、例えば、イメージデータ、ベクタデータ、テキストデータといった各種データが含まれる。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データであり得る。印刷設定とは、用紙への画像形成に関する設定および印刷物の後処理に関する設定であり、例えば、グレースケールまたはフルカラー、２ｉｎ１、両面印刷、ステープラー、穴あけ、および折り等の各種設定が含まれる。
【００４０】
読取部１２９は、原稿台の所定の読み取り位置にセットされた原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサ等の撮像装置で光電変換して、その電気信号から画像データを生成する。
【００４１】
印刷ユニット１２１０は、電子写真方式により帯電、露光、現像、転写および定着の各工程を経て、用紙に画像データに基づく画像形成を行い出力する。
【００４２】
ＣＰＵ１２１は、プログラムに従って上記各構成要素の制御や各種の演算処理等を行う。すなわち、ＣＰＵ１２１は、画像形成装置１２０を構成する各構成要素と連携をとりながら、各種処理、印刷、保存に関する制御全般を行なう。
【００４３】
ＣＰＵ１２１は、スケジュールサーバー１１０から管理者の予定表を通信部１２５により取得させる。ＣＰＵ１２１は、予定表において管理者の不在期間が予定されている場合、ＨＤＤ１２４から消耗部材管理データベースを読み出して、印刷ユニット１２１０に備えられた消耗部材の残量を確認する。ＣＰＵ１２１は、確認した消耗部材の残量が管理者の不在期間の長さに対応する減少量に対して十分かどうか判断し、十分でない場合は、管理者にメールをし、または管理者のＰＣ１３０の表示部への表示する等により、管理者に消耗部材の交換を促す。
【００４４】
ＣＰＵ１２１は、管理者の不在期間の終了後、消耗部材管理データベースを参照し、画像形成装置１２０に備えられた消耗部材の残量と、在庫の消耗部材の残量とを比較する。ＣＰＵ１２１は、画像形成装置１２０に備えられた消耗部材の残量より残量の多い在庫の消耗部材の数が所定数より少ない場合は、画像形成装置１２０に備えられた消耗部材を、在庫の消耗部材のうち残量が最も少ないものに交換するよう管理者に促す。
【００４５】
ＣＰＵ１２１は、消耗部材管理データベースにおいて在庫として管理されている消耗部材のうち、残量が所定の基準値以上であるものが所定数未満である場合は、管理者にメールをし、または管理者のＰＣ１３０の表示部への表示する等により、管理者に消耗品の発注を促す。本動作は、管理者に消耗部材の交換を促す際に行われることが望ましい。
【００４６】
図４は、画像形成装置の例としてのタンデム型カラー画像形成装置の構成図である。タンデム型カラー画像形成装置は、４組の画像形成部によりカラー画像形成を行う。
【００４７】
原稿台上に載置された原稿は読取部１２９の査露光装置の光学系により画像が走査露光され、ラインイメージセンサーに読み込まれ、光電変換された画像情報信号は、画像制御部１２８において、アナログ処理、Ａ／Ｄ変換、シェーディング補正、画像圧縮処理等を行った後、画像形成部の光書込部に入力される。
【００４８】
４組の画像形成部はイエロー（Ｙ）色の画像を形成する画像形成部１１Ｙ、マゼンタ（Ｍ）色の画像を形成する画像形成部１１Ｍ、シアン（Ｃ）色の画像を形成する画像形成部１１Ｃ、黒（Ｋ）色の画像を形成する画像形成部１１Ｋであり、それぞれ共通する符号１１の後に形成する色をあらわす符号Ｙ、Ｍ、Ｃ、Ｋを付して表記する。
【００４９】
画像形成部１１Ｙは、感光体ドラム１Ｙ及びその周囲に配置された帯電部２Ｙ、光書込部３Ｙ、現像装置４Ｙ及びドラムクリーナー５Ｙを有して構成される。
【００５０】
同様に、画像形成部１１Ｍは、感光体ドラム１Ｍの周囲に配置された帯電部２Ｍ、光書込部３Ｍ、現像装置４Ｍ及びドラムクリーナー５Ｍを、画像形成部１１Ｃは、感光体ドラム１Ｃの周囲に配置された帯電部２Ｃ、光書込部３Ｃ、現像装置４Ｃ及びドラムクリーナー５Ｃを、画像形成部１１Ｋは、感光体ドラム１Ｋの周囲に配置された帯電部２Ｋ、光書込部３Ｋ、現像装置４Ｋ及びドラムクリーナー５Ｋを有して構成される。
【００５１】
画像形成部１１Ｙ、１１Ｍ、１１Ｃ、１１Ｋにおけるそれぞれの感光体ドラム１Ｙ、１Ｍ、１Ｃ、１Ｋ、帯電部２Ｙ、２Ｍ、２Ｃ、２Ｋ、光書込部３Ｙ、３Ｍ、３Ｃ、３Ｋ、現像装置４Ｙ、４Ｍ、４Ｃ、４Ｋ及びドラムクリーナー５Ｙ、５Ｍ、５Ｃ、５Ｋはそれぞれ共通する内容の構成である。
【００５２】
画像形成部１１Ｙ、１１Ｍ、１１Ｃ、１１Ｋは、それぞれ光書込部３Ｃ、３Ｍ、３Ｙ、３Ｋにて画像情報信号を感光体ドラム１Ｃ、１Ｍ、１Ｙ、１Ｋに書き込み、感光体ドラム１Ｃ、１Ｍ、１Ｙ、１Ｋに画像情報信号に基づく潜像を形成する。そして潜像は現像装置４Ｃ、４Ｍ、４Ｙ、４Ｋにより現像され、感光体ドラム１Ｃ、１Ｍ、１Ｙ、１Ｋ上に可視画像であるトナー画像が形成される。
【００５３】
画像形成部１１Ｙ、１１Ｍ、１１Ｃ、１１Ｋのそれぞれ感光体ドラム１Ｙ、１Ｍ、１Ｃ、１Ｋに、それぞれ、イエロー（Ｙ）色、マゼンタ（Ｍ）色、シアン（Ｃ）色、黒（Ｋ）色、の画像が形成される。
【００５４】
中間転写ベルト６は、複数のローラーにより巻回され、走行可能に支持されている。
【００５５】
画像形成部１１Ｙ、１１Ｍ、１１Ｃ、１１Ｋより形成された各色のトナー画像は、走行する中間転写ベルト６上に一次転写部７Ｙ、７Ｍ、７Ｃ、７Ｋにより逐次転写されてＹ（イエロー）、Ｍ（マゼンタ）、Ｃ（シアン）、Ｋ（黒）の各色層が重畳したトナーによるカラー画像（以下、「トナー画像」と称する）が形成される。
【００５６】
用紙搬送部ＨＲ１０は用紙Ｓを搬送する。用紙Ｓは給紙トレイ２９１、２９２、２９３に収容されており、第１給紙部１２により給紙され、レジストローラー１３を経て、二次転写部７Ａに搬送され、用紙Ｓ上に中間転写ベルト６上のトナー画像が転写される。二次転写部７Ａは転写手段の一例であり、トナー画像を用紙Ｓに転写させ該用紙Ｓを搬送する。
【００５７】
トナー画像が転写された用紙Ｓは、定着部１４にて熱と圧力とを加えることにより用紙Ｓ上のトナー画像が定着され、トナー画像の転写および定着により画像形成がされた用紙Ｓは定着搬送ローラー１５及び排紙ローラー１６を経て装置外に排出される。
【００５８】
定着部１４は、定着ローラー３１、押圧ローラー３２、加熱ローラー３３、および定着ベルト３４を有する。定着ローラー３１は押圧ローラー３２により押圧され、用紙Ｓ上のトナー画像が載った側が凸になるように略円弧状のニップ領域が形成される。ニップ領域において用紙Ｓは加熱ローラー３３を介して加熱された定着ベルト３４とともに挟持される。そして、用紙Ｓ上に付着されたトナー画像のトナーが加熱および加圧されてトナー画像が用紙Ｓに定着される。定着部１４は定着手段の一例であり、二次転写部７Ａにより用紙Ｓに転写されたトナー画像を用紙Ｓに定着させ、該用紙Ｓを搬送する。
【００５９】
画像形成装置１２０は用紙反転部２４を備えており、定着がなされた用紙を定着搬送ローラー１５から用紙反転部２４に導いて表裏を反転し排出、あるいは用紙の両面に画像形成を行うことを可能としている。
【００６０】
画像形成装置１２０の本体上部に設置された操作部１２６から画像形成を行うに際しての用紙Ｓのサイズ、枚数等を設定できる。さらに、操作部１２６から用紙の種類および各種通紙条件を設定できる。
【００６１】
画像形成のための上記各部の作動、および用紙Ｓを搬送するための各部の作動は、ＣＰＵ１２１によって制御される。ＣＰＵ１２１は、上記各部の制御や各種の演算処理を行なう。
【００６２】
図５は、スケジュールサーバーの構成を示すブロック図である。
【００６３】
スケジュールサーバー１１０は、ＣＰＵ１１１、ＲＡＭ１１２、ＲＯＭ１１３、ＨＤＤ１１４、操作部１１５、表示部１１６、および通信部１１７を有し、これらは信号をやり取りするためのバス１１８を介して相互に接続される。
【００６４】
ＲＡＭ１１２は、ＣＰＵ１１１の作業領域として一時的にプログラムやデータを記憶する。
【００６５】
ＲＯＭ１１３には、各種プログラムや各種データが保存される。
【００６６】
ＨＤＤ１１４には、オペレーティングシステムを含む各種プログラムや管理者の予定表を含む各種データが保存される。予定表は、ネットワーク１４０に接続されたＰＣ１３０により参照可能に共有されることができる。ネットワーク１４０を介して共有可能な予定表の例としては、マイクロソフト社のＯｕｔｌｏｏｋがあり、例えば、ＣａｌまたはＰＯＰ３等のネットワークプロトコルによりＰＣ１３０により参照されることができる。
【００６７】
操作部１１５は、例えばマウスといったポインティングデバイスやキーボード、タッチパネルを含み、各種の操作、入力を行うために使用される。
【００６８】
表示部１１６は、例えば液晶ディスプレイであり、各種の情報を表示する。
【００６９】
通信部１１７は、外部機器と通信するためのインターフェースであり、イーサネット（登録商標）、ＳＡＴＡ、ＰＣＩ  Ｅｘｐｒｅｓｓ、ＵＳＢ、ＩＥＥＥ１３９４等の規格によるネットワークインターフェースや、Ｂｌｕｅｔｏｏｔｈ（登録商標）、ＩＥＥＥ８０２．１１等の無線通信インターフェース等の各種ローカル接続インターフェース等が用いられる。
【００７０】
ＣＰＵ１１１は、プログラムに従って上記各部の制御や各種の演算処理を行う。
【００７１】
ＣＰＵ１１１は、画像形成装置１２０の要求に応じて、ＨＤＤ１１４に保存された管理者の予定表を通信部１１７により画像形成装置１２０に送信させる。
【００７２】
ＣＰＵ１１１は、ＰＣ１３０から、管理者による予定表の更新の要求が通信部１１７により受信されると、予定表の更新の要求に含まれる更新内容を予定表に反映させることで予定表を更新する。
【００７３】
図６は、ＰＣの構成を示す図である。
【００７４】
ＰＣ１３０を構成する各要素の基本的な機能は、対応するスケジュールサーバー１１０の各要素と同様であるため、重複する説明を省略する。
【００７５】
ＣＰＵ１３１は、印刷ジョブを通信部１３７により画像形成装置１２０に送信させることにより、画像形成装置１２０に印刷ジョブに基づく画像形成を行わせ、画像形成された用紙を出力させる。
【００７６】
ＣＰＵ１３１は、通信部１３７により受信された画像形成装置１２０による要求に従い、画像形成装置１２０に備えられた消耗部材の交換を促す情報、および消耗品の発注を促す情報を表示部１３６に表示することができる。ＣＰＵ１３１は、管理者を宛先とする消耗部材の交換を促すためのメール、および消耗品の発注を促すためのメールを、通信部１３７により画像形成装置１２０から受信することができる。
【００７７】
ＣＰＵ１３１は、管理者により操作部１３５から入力された予定表の更新内容を含む予定表の更新の要求をスケジュールサーバー１１０に通信部１３７により送信させる。
【００７８】
図７は、本実施形態に係る画像形成装置の管理方法のフローチャートであって、管理者の不在の際に事前に画像形成装置に備えられた消耗部材の交換を促すための各段階を示す図である。本フローチャートは、画像形成装置のＨＤＤ１２４に保存された画像形成装置の管理プログラムに従い、画像形成装置１２０のＣＰＵ１２１により実行されることができる。
【００７９】
画像形成装置１２０のＣＰＵ１２１は、予定表をスケジュールサーバー１１０から取得し、管理者の不在期間を確認する（Ｓ１０１）。
【００８０】
図８は、図７のフローチャートのステップＳ１０１のサブルーチンフローチャートである。
【００８１】
ＣＰＵ１３１は、予定表において、管理者の不在期間が予定されている場合、最初の不在期間を確認し（Ｓ２０１）、さらに次の不在期間を確認する（Ｓ２０２）。ＣＰＵ１３１は、最初の不在期間である先の不在期間と次の不在期間との間隔が所定時間以上かどうか判断する（Ｓ２０３）。すなわち、ＣＰＵ１３１は、先の不在期間の終了から次の不在期間の開始までの間隔が所定時間以上かどうか判断する。
【００８２】
ＣＰＵ１３１は、先の不在期間と次の不在期間との間隔が所定時間以上でないと判断したときは（Ｓ２０３：ＮＯ）、先の不在期間から次の不在期間までを一つの不在期間とみなす（Ｓ２０４）。すなわち、先の不在期間の開始から次の不在期間の終了までの長さを一つの不在期間の長さとする。所定時間は、管理者により消耗部材の交換が十分可能な時間として、例えば、３０分間〜６０分間の間のいずれかの時間とすることができる。
【００８３】
なお、不在期間が重複している場合も、開始時間の早い先の不在期間の開始から開始時間の遅い次の不在期間の終了までが一つの不在期間とみなされる。
【００８４】
ステップＳ２０２〜ステップＳ２０４が繰り返されることにより、互いの間隔が所定時間未満の関係にある不在期間の組み合わせが、それぞれ一つの不在期間とみなされる。
【００８５】
図９は、管理者の予定表を示す図である。
【００８６】
予定表には、管理者の業務スケジュールや管理者の不在期間が記録されている。
【００８７】
図９において、例えば、金曜日の８時３０分から１０時３０分までの不在期間を先の不在期間とすると、先の不在期間と、次の不在期間である１１時００分から１２時００分までの不在期間との間隔は３０分間である。ステップＳ２０３における判断基準である所定時間を４５分間とすると、先の不在期間と次の不在期間との間隔は所定時間未満となるため、先の不在期間から次の不在期間までが一つの不在期間とみなされる。図９において、一つの不在期間とみなされる期間が＊Ａとして示されている。
【００８８】
先の不在期間と次の不在期間との間隔が所定時間以上無い場合に先の不在期間から次の不在期間までを一つの不在期間とみなすのは次の理由による。すなわち、先の不在期間と次の不在期間との間隔が管理者により消耗部材の交換が困難となるような短時間である場合に、先の不在期間の長さに対応する減少量を有する消耗部材への交換を促しても、先の不在期間の終了後に消耗部材が交換されないことで消耗部材が無くなる可能性があるからである。
【００８９】
ＣＰＵ１３１は、先の不在期間と次の不在期間との間隔が所定時間以上であると判断したときは（Ｓ２０３：ＹＥＳ）、当該先の不在期間を一つの不在期間として確定する（Ｓ２０５）。
【００９０】
ＣＰＵ１３１は、管理者の不在期間の所定時間前まで待機する（Ｓ１０２）。所定時間は、管理者により消耗部材の交換が十分可能な時間として、例えば、３０分間〜６０分間の間のいずれかの時間とすることができる。
【００９１】
ＣＰＵ１３１は、管理者の不在期間の所定時間前に、画像形成装置１２０に備えられた使用中の消耗部材の残量を消耗部材管理データベースにより確認する（Ｓ１０３）。このように、所定時間前に消耗部材の残量を確認するのは、不在期間の直前に管理者に消耗部材の交換を促しても、管理者には消耗部材を交換するための時間的な余裕がないためである。
【００９２】
ＣＰＵ１３１は、画像形成装置１２０に備えられた消耗部材の残量が管理者の不在期間の長さに対して十分な量として定めた交換基準以下かどうか判断する（Ｓ１０４）。交換基準は、管理者に消耗部材の交換を促してから管理者の不在期間が終了するまでを不在期間の長さとし、当該不在期間の長さに対応する減少量として定めることができる。交換基準は、さらに不在期間が終了してから管理者により消耗部材が交換されるために必要な期間を考慮して定めることができる。このように、消耗部材の残量が十分かどうかを判断する際に、管理者に消耗部材の交換を促してから管理者の不在期間が開始するまでの期間をも考慮するのは、管理者により事前に消耗部材が交換されてから不在期間が開始するまでの期間においても消耗部材の残量が減少するからである。
【００９３】
図１０は、交換基準について説明するための図である。
【００９４】
交換基準は、不在期間の長さである不在時間と不在時間に必要な消耗部材の残量との関係のグラフをあらかじめ取得し、当該グラフを用いて定めることができる。
【００９５】
例えば、予定表における不在時間が８時間で、管理者に消耗部材の交換を促してから管理者の不在期間が開始するまでの期間である所定時間（事前準備のための所定時間）が１時間である場合は、これらの和である９時間を不在時間として交換基準を定めることができる。すなわち、図１０のグラフにおいて、９時間の不在時間に必要な消耗部材の残量である１４％が交換基準として定められることができる。
【００９６】
ＣＰＵ１３１は、交換基準より多い残量の在庫の消耗部材のうち最も残量が少ない消耗部材を消耗部材管理データベースにおいて検索する（Ｓ１０５）。
【００９７】
ＣＰＵ１３１は、画像形成装置１２０において使用中の消耗部材の、検索により特定された消耗部材への交換を促す（Ｓ１０６）。これにより、管理者不在時に消耗部材の残量が無くなることで画像形成装置が停止する事態を防止できるとともに、残量の少ない消耗部材から使い切ることで、比較的残量の多い消耗剤を、今後の比較的長い管理者の不在期間に備えて確保することができる。
【００９８】
なお、ＣＰＵ１３１は、交換基準より多い残量の在庫の消耗部材を、交換候補として、ＰＣ１３０の表示部１３６に表示させ、または管理者宛のメールに記載することにより、交換候補のいずれかへの交換を促してもよい。
【００９９】
図１１は、本実施形態に係る画像形成装置の管理方法のフローチャートであって、不在期間終了後に管理者に画像形成装置に備えられた消耗部材の交換を促すための各段階を示す図である。本フローチャートは、画像形成装置のＨＤＤ１２４に格納された画像形成装置の管理プログラムに従い、画像形成装置のＣＰＵ１２１により実行されることができる。
【０１００】
画像形成装置のＣＰＵ１２１は、予定表をスケジュールサーバー１１０から取得し、管理者の不在期間の終了時間を確認する（Ｓ３０１）。
【０１０１】
ＣＰＵ１２１は、管理者の不在期間の終了時間まで待機する（Ｓ３０２）。
【０１０２】
ＣＰＵ１２１は、管理者の不在期間の終了時間になったら、画像形成装置１２０に備えられた使用中の消耗部材の残量を消耗部材管理データベースにより確認し（Ｓ３０３）、在庫の消耗部材の残量を消耗部材管理データベースにより確認する（Ｓ３０４）。
【０１０３】
ＣＰＵ１３１は、在庫の消耗部材に、画像形成装置１２０において使用中の消耗部材より残量の多いものが所定数以上あるかどうか判断する（Ｓ３０５）。所定数は、消耗部材の消耗速度や従来の交換頻度等を考慮して適当な値に定めることができる。
【０１０４】
ＣＰＵ１３１は、在庫の消耗部材に、画像形成装置１２０において使用中の消耗部材より残量の多いものが所定数以上あると判断したときは（Ｓ３０５：ＹＥＳ）、処理を終了する。この場合、現在画像形成装置１２０において使用中の消耗部材がそのまま使用される。
【０１０５】
ＣＰＵ１３１は、在庫の消耗部材に、画像形成装置１２０において使用中の消耗部材より残量の多いものが所定数以上ないと判断したときは（Ｓ３０５：ＮＯ）、消耗部材管理データベースにおいて、残量が最も少ない消耗部材を検索する（Ｓ３０６）。
【０１０６】
ＣＰＵ１３１は、画像形成装置１２０において使用中の消耗部材の、検索により特定された消耗部材への交換を促す（Ｓ３０７）。これにより、在庫の消耗部材のうち、残量が多い消耗部材は今後の管理者の比較的長期間の不在時に備えることができるとともに、残量が少ない消耗部材については、途中で交換する手間をかけずに使い切ることができる。
【０１０７】
図１２は、本実施形態に係る画像形成装置の管理方法のフローチャートであって、消耗部材の在庫の発注を促すための各段階を示す図である。本フローチャートは、画像形成装置のＨＤＤ１２４に格納された画像形成装置の管理プログラムに従い、画像形成装置のＣＰＵ１２１により実行されることができる。
【０１０８】
画像形成装置のＣＰＵ１２１は、消耗部材管理データベースを参照し、在庫の消耗部材の残量を確認する（Ｓ４０１）。
【０１０９】
ＣＰＵ１２１は、在庫の消耗部材に残量が閾値以上のものが所定数以上あるかどうか判断する（Ｓ４０２）。残量の閾値は、例えば、管理者の従来の不在期間の長さの平均に対応する消耗部材の減少量等を考慮して適当な値に定めることができる。所定数は、消耗部材の消耗速度や従来の交換頻度等を考慮して適当な値に定めることができる。
【０１１０】
ＣＰＵ１２１は、在庫の消耗部材に残量が閾値以上のものが所定数以上あると判断したときは（Ｓ４０２：ＹＥＳ）、処理を終了する。
【０１１１】
ＣＰＵ１２１は、在庫の消耗部材に残量が閾値以上のものが所定数以上ないと判断したときは（Ｓ４０２：ＮＯ）、管理者へ消耗部材の購入を促す（Ｓ４０３）。これにより、今後の管理者の比較的長期間の不在時に交換可能な消耗部材が存在しないという状態を回避することができる。
【０１１２】
本実施形態は以下の効果を奏する。
【０１１３】
予定されている管理者の不在期間の長さに対し画像形成装置に備えられた消耗部材の残量が十分でないと判断した場合に消耗部材の交換を管理者に促す。これにより、管理者不在時に消耗部材の残量が無くなることで画像形成装置が停止する事態を防止することができる。
【０１１４】
さらに、消耗部材の在庫および残量を管理し、管理者に消耗部材の交換を促してから管理者の不在期間が終了するまでを不在期間の長さとし、不在期間の長さに対応する消耗部材の減少量を少なくとも残量として有する消耗部材のうちいずれかへの消耗部材の交換を管理者に促す。これにより、管理者により事前に消耗部材が交換されてから不在期間が開始するまでの期間における消耗部材の残量の減少量をも考慮することで、管理者不在時に消耗部材の残量が無くなることをより確実に防止できる。
【０１１５】
さらに、管理者の不在期間の長さに対応する消耗部材の減少量を少なくとも残量として有する消耗部材のうち残量が最も少ないものへの消耗部材の交換を管理者に促す。これにより、残量の少ない消耗部材から使い切ることで、比較的残量の多い消耗剤を、今後の比較的長い管理者の不在期間に備えて確保することができる。
【０１１６】
さらに、管理者に複数の不在期間が予定されており、先の不在期間の終了から次の不在期間の開始までの間隔が所定時間より短い場合は、先の不在期間の開始から次の不在期間の終了までの長さを不在期間の長さとする。これにより、先の不在期間と次の不在期間との間隔が管理者により消耗部材の交換が困難となるような短時間である場合に、先の不在期間の終了後に消耗部材が交換されないことで消耗部材が無くなる状態を回避できる。
【０１１７】
さらに、管理者の不在期間の終了後、画像形成装置に備えられた消耗部材の残量と、在庫の消耗部材の残量とを比較し、在庫の消耗部材のうち、画像形成装置に備えられた消耗部材の残量より残量の多い消耗部材の数が所定数より少ない場合に、在庫の消耗部材のうち残量が最も少ないものへの消耗部材の交換を管理者に促す。これにより、在庫の消耗部材のうち、残量が多い消耗部材は今後の管理者の比較的長期間の不在時に備えることができるとともに、残量が少ない消耗部材については、途中で交換する手間をかけずに使い切ることができる。
【０１１８】
さらに、在庫の消耗部材のうち、残量が所定の閾値以上であるものが所定数未満である場合に、消耗品の発注を管理者に促す。これにより、今後の管理者の比較的長期間の不在時に交換可能な消耗部材が存在しないという状態を回避することができる。
【０１１９】
本発明に係る画像形成装置の管理プログラム、画像形成装置の管理プログラムを記録した記録媒体、および画像形成装置の管理方法は、上述した実施形態に限定されない。
【０１２０】
例えば、管理者が複数存在する場合は、管理者の不在期間を複数の管理者すべてが不在となる期間とすることができる。これにより、管理者の数にかかわらず、より柔軟に、管理者不在時に消耗部材の残量が無くなることを防止できる。
【０１２１】
また、上述した実施形態においては、本発明に係る画像形成装置の管理方法を、プログラムに従い実行するものとして説明したが、プログラムで実行する機能の一部または全部を回路等のハードウェアにより実現してもよい。
【０１２２】
また、上述した実施形態においては、本発明に係る画像形成装置の管理方法を、画像形成装置においてプログラムに従い実行されるものとして説明したが、ＰＣにおいてプログラムに従い実行されてもよい。
【符号の説明】
【０１２３】
１００    画像形成システム、
１１０    スケジュールサーバー、
１２０    画像形成装置、
１３０    ＰＣ。
【図１】
0006459562.tif 000002
【図２】
0006459562.tif 000003
【図３】
0006459562.tif 000004
【図４】
0006459562.tif 000005
【図５】
0006459562.tif 000006
【図６】
0006459562.tif 000007
【図７】
0006459562.tif 000008
【図８】
0006459562.tif 000009
【図９】
0006459562.tif 000010
【図１０】
0006459562.tif 000011
【図１１】
0006459562.tif 000012
【図１２】
0006459562.tif 000013